【手続補正書】
【提出日】平成19年4月16日(2007.4.16)
【手続補正１】
【補正対象書類名】特許請求の範囲
【補正対象項目名】全文
【補正方法】変更
【補正の内容】
【特許請求の範囲】
【請求項１】
１ゲームに対して賭数を設定することによりゲームが開始可能となるとともに、表示状態を変化させることが可能な可変表示装置の表示結果が導出表示されることにより１ゲームが終了するスロットマシンにおいて、
遊技者所有の有価価値を記憶する有価価値記憶手段と、
遊技者による返却操作がなされたときに前記有価価値記憶手段に記憶されている有価価値を返却する制御を行う返却制御手段と、
前記可変表示装置の表示結果に応じて遊技者にとって有利な特別遊技状態を発生させる特別遊技状態制御手段と、
前記特別遊技状態の終了時に特別遊技状態の終了を報知する特別遊技状態終了報知演出を予め定められた期間実行する特別遊技状態終了報知演出実行手段と、
前記特別遊技状態における最後のゲームの終了時に前記有価価値の返却操作を許可する返却許可手段と、
前記特別遊技状態終了報知演出の実行中において前記有価価値の返却操作がなされたときに、該実行中の特別遊技状態終了報知演出を停止させる特別遊技状態終了報知演出停止手段と、
を備える
ことを特徴とするスロットマシン。
【請求項２】
前記スロットマシンは、画像を表示可能な画像表示手段を備え、前記特別遊技状態終了報知演出は、前記画像表示手段により実行される請求項１に記載のスロットマシン。
【請求項３】
前記スロットマシンは、前記特別遊技状態終了報知演出を実行するための演出手段と、
前記特別遊技状態終了報知演出実行手段及び特別遊技状態終了報知演出停止手段を含み、前記演出手段を制御する演出制御手段と、
を備え、
該演出制御手段は、遊技進行を制御可能な遊技制御手段とは別に設けられているとともに、前記遊技制御手段から出力される信号に基づいて動作するようになっている
請求項１または２に記載のスロットマシン。
【手続補正２】
【補正対象書類名】明細書
【補正対象項目名】０００３
【補正方法】変更
【補正の内容】
【０００３】
しかしながら、一般的にこのような演出の実行中においては新規なゲームを開始することや遊技者所有の有価価値（クレジット）の精算が出来ないように設定されているため、遊技者は新規なゲームを開始する場合や有価価値を精算する場合、演出が終了するまで待たなければならなかった。
【手続補正３】
【補正対象書類名】明細書
【補正対象項目名】０００４
【補正方法】変更
【補正の内容】
【０００４】
本発明は、このような問題点に着目してなされたものであり、特別遊技状態の終了後において実行される演出の終了を待つことなく、有価価値（クレジット）を精算することが出来るスロットマシンを提供することを目的とする。
【手続補正４】
【補正対象書類名】明細書
【補正対象項目名】０００５
【補正方法】変更
【補正の内容】
【０００５】
上記課題を解決するために、本発明のスロットマシンは、
１ゲームに対して賭数を設定することによりゲームが開始可能となるとともに、表示状態を変化させることが可能な可変表示装置の表示結果が導出表示されることにより１ゲームが終了するスロットマシンにおいて、
遊技者所有の有価価値を記憶する有価価値記憶手段と、
遊技者による返却操作がなされたときに前記有価価値記憶手段に記憶されている有価価値を返却する制御を行う返却制御手段と、
前記可変表示装置の表示結果に応じて遊技者にとって有利な特別遊技状態を発生させる特別遊技状態制御手段と、
前記特別遊技状態の終了時に特別遊技状態の終了を報知する特別遊技状態終了報知演出を予め定められた期間実行する特別遊技状態終了報知演出実行手段と、
前記特別遊技状態における最後のゲームの終了時に前記有価価値の返却操作を許可する返却許可手段と、
前記特別遊技状態終了報知演出の実行中において前記有価価値の返却操作がなされたときに、該実行中の特別遊技状態終了報知演出を停止させる特別遊技状態終了報知演出停止手段と、
を備える
ことを特徴としている。
この特徴によれば、特別遊技状態終了報知演出の実行期間内において有価価値の返却操作を許可することが出来るため、遊技者が特別遊技状態終了報知演出の終了を待つことなく特別遊技状態における最後のゲームが終了した時点で有価価値の返却を受けることが可能となる。また、有価価値の返却操作を行うことで特別遊技状態終了報知演出を遊技者が所望の時点で停止することが出来る。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１６
【補正方法】変更
【補正の内容】
【００１６】
本発明のスロットマシンは、
前記特別遊技状態終了報知演出を実行するための演出手段と、
前記特別遊技状態終了報知演出実行手段及び特別遊技状態終了報知演出停止手段を含み、前記演出手段を制御する演出制御手段と、
を備え、
該演出制御手段は、遊技進行を制御可能な遊技制御手段とは別に設けられているとともに、前記遊技制御手段から出力される信号に基づいて動作するようになっていることが好ましい。
このようにすれば、遊技進行を制御可能な遊技制御手段の制御の負担を軽減出来る。
【手続補正１５】
【補正対象書類名】明細書
【補正対象項目名】００１８
【補正方法】変更
【補正の内容】
【００１８】
（ａ）請求項１項の発明によれば、特別遊技状態終了報知演出の実行期間内において有価価値の返却操作を許可することが出来るため、遊技者が特別遊技状態終了報知演出の終了を待つことなく特別遊技状態における最後のゲームが終了した時点で有価価値の返却を受けることが可能となる。また、有価価値の返却操作を行うことで特別遊技状態終了報知演出を遊技者が所望の時点で停止することが出来る。
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】変更
【補正の内容】
【００２８】
（ｂ）請求項２項の発明によれば、表示する画像内容を変えるだけで、特別遊技状態終了報知演出の多様化を図ることが出来る。
【手続補正２６】
【補正対象書類名】明細書
【補正対象項目名】００２９
【補正方法】変更
【補正の内容】
【００２９】
（ｃ）請求項３項の発明によれば、遊技進行を制御可能な遊技制御手段の制御の負担を軽減出来る。
【手続補正２７】
【補正対象書類名】明細書
【補正対象項目名】０１５７
【補正方法】変更
【補正の内容】
【０１５７】
本発明の請求項１は、
１ゲームに対して賭数を設定することによりゲームが開始可能となるとともに、表示状態を変化させることが可能な可変表示装置（４１）の表示結果が導出表示されることにより１ゲームが終了するスロットマシン（１）において、
遊技者所有の有価価値（クレジット）を記憶する有価価値記憶手段と、
遊技者による返却操作（精算操作）がなされたときに前記有価価値記憶手段に記憶されている有価価値（クレジット）を返却する制御を行う返却制御手段と、
前記可変表示装置の表示結果に応じて遊技者にとって有利な特別遊技状態（ＢＢ）を発生させる特別遊技状態制御手段と、
前記特別遊技状態（ＢＢ）の終了時に特別遊技状態の終了を報知する特別遊技状態終了報知演出（ＢＢ終了演出）を予め定められた期間実行する特別遊技状態終了報知演出実行手段と、
前記特別遊技状態（ＢＢ）における最後のゲームの終了時に前記有価価値の返却操作（精算操作）を許可する返却許可手段と、
前記特別遊技状態終了報知演出（ＢＢ終了演出）の実行中において前記有価価値の返却操作（精算操作）がなされたときに、該実行中の特別遊技状態終了報知演出（ＢＢ終了演出）を停止させる特別遊技状態終了報知演出停止手段と、
を備える。
【手続補正２８】
【補正対象書類名】明細書
【補正対象項目名】０１５８
【補正方法】削除
【補正の内容】
【手続補正２９】
【補正対象書類名】明細書
【補正対象項目名】０１５９
【補正方法】削除
【補正の内容】
【手続補正３０】
【補正対象書類名】明細書
【補正対象項目名】０１６０
【補正方法】削除
【補正の内容】
【手続補正３１】
【補正対象書類名】明細書
【補正対象項目名】０１６１
【補正方法】削除
【補正の内容】
【手続補正３２】
【補正対象書類名】明細書
【補正対象項目名】０１６２
【補正方法】削除
【補正の内容】
【手続補正３３】
【補正対象書類名】明細書
【補正対象項目名】０１６３
【補正方法】削除
【補正の内容】
【手続補正３４】
【補正対象書類名】明細書
【補正対象項目名】０１６４
【補正方法】削除
【補正の内容】
【手続補正３５】
【補正対象書類名】明細書
【補正対象項目名】０１６５
【補正方法】削除
【補正の内容】
【手続補正３６】
【補正対象書類名】明細書
【補正対象項目名】０１６６
【補正方法】削除
【補正の内容】
【手続補正３７】
【補正対象書類名】明細書
【補正対象項目名】０１６７
【補正方法】変更
【補正の内容】
【０１６７】
本発明の請求項２は、前記スロットマシン（１）は、画像を表示可能な画像表示手段（液晶表示器６）を備え、前記特別遊技状態終了報知演出（ＢＢ終了演出）は、前記画像表示手段により実行される。
【手続補正３８】
【補正対象書類名】明細書
【補正対象項目名】０１６８
【補正方法】変更
【補正の内容】
【０１６８】
本発明の請求項１２は、
前記スロットマシン（１）は、前記特別遊技状態終了報知演出（ＢＢ終了演出）を実行するための演出手段と、
前記特別遊技状態終了報知演出実行手段及び特別遊技状態終了報知演出停止手段を含み、前記演出手段（スピーカ８０〜８２、遊技効果ランプ４、液晶表示器６）を制御する演出制御手段（ＭＰＵ）と、
を備え、
該演出制御手段（ＭＰＵ）は、遊技進行を制御可能な遊技制御手段（制御部３００）とは別に設けられているとともに、前記遊技制御手段から出力される信号に基づいて動作するようになっている。